(57)【特許請求の範囲】
【請求項１】
検出通路を挟んで配置されたコイルのインダクタンス成分を用いて発振する発振回路の発振状況の相違により、該検出通路におけるパチンコ玉あるいはコインの存在・非存在を検出する検出装置であって、
前記発振回路を収納する胴部と前記コイルを収納する腕部とを有し、該胴部と該腕部とで前記検出通路を抱え込む略Ｕ字形の開口部を形成した収納部材と、
前記腕部の先端付近における該開口部の幅を狭めることにより、前記抱え込んだ検出通路に接触し、該検出通路の該開口部からの離脱を防止する押さえ部材と
を備え、
前記腕部および前記胴部には、前記開口部に沿って、前記コイルを形成したフレキシブルプリント基板が収納された
検出装置。
【請求項２】
前記押さえ部材が、弾性材で形成された前記腕部である請求項１に記載の検出装置。
【請求項３】
前記押さえ部材が、前記腕部の前記検出通路を抱え込む側に形成された突部である請求項１または２に記載の検出装置。
【請求項４】
前記押さえ部材が、前記検出通路を抱え込んだ前記開口部を閉塞するように、前記収納部材に係止される係止部材である請求項１または２に記載の検出装置。
【発明の詳細な説明】
【０００１】
【産業上の利用分野】
本発明は、磁性体または金属からなる被検出体の存在を非接触で検出する検出装置に関する。
【０００２】
【従来の技術】
従来、この種の検出装置の検出部として、被検出体である金属体の導電性を利用して発振回路の回路定数を変化させ、その近接を検出するものが知られている。図１０に示すように、数十ｋＨｚの高周波発振回路中の発振コイルＬからでた磁界中に被検出体Ｋが入ると、被検出体Ｋ内に渦電流が流れる。この渦電流の発生は、電流損失を生じ、高周波発振回路の発振エネルギを消費することになるから、通常その発振は停止し、この発振状況から被検出体Ｋの存在を検出するのである。また、被検出体Ｋが磁性体である場合にも、発振コイルＬの磁界中に被検出体Ｋが入ると、発振コイルＬの鎖交磁束Φが変化することで発振コイルＬの自己インダクタンス値が変化して高周波発振条件が崩れ、発振が停止するため、同様に被検出体Ｋの存在を検出することができる。
【０００３】
こうした検出装置は、検出感度を高めるために検出位置全体に発振コイルＬの磁界を発生させる必要がある。このため、発振コイルＬの巻数や発振コイルＬの設置位置は、被検出体Ｋの大きさや検出位置の範囲、検出装置を用いるシステム内で検出装置に許容される設置空間等により定められる。実際には、被検出体Ｋの通路に略接触するよう発振コイルＬを支持する部材を通路近辺に設け、この部材に発振コイルＬおよび発振回路が取り付けられる。
【０００４】
【発明が解決しようとする課題】
しかしながら、図１０に示した検出装置の検出部では、磁束の片側を利用しているに過ぎないから、検出装置の効率が低く、その検出精度を高めようとすると、被検出体Ｋの通路の傍らに比較的寸法の大きな発振コイルＬを設ける必要があることから、装置全体をコンパクトに設計することができないといった問題があった。こうした装置全体が大きくなることから、発振コイルＬや発振回路を被検出体Ｋの通路の近傍に設置するのに専用の取り付け部材を必要とし、容易に取り付けることができないという問題があった。
【０００５】
本発明の検出装置は、こうした問題を解決し、消費電力を抑さえつつ高効率かつ高精度に被検出体を検出すると共に、被検出体の通路等に容易に設置できることを目的とし、次の構成を採った。
【０００６】
【課題を解決するための手段】
本発明の検出装置は、
検出通路を挟んで配置されたコイルのインダクタンス成分を用いて発振する発振回路の発振状況の相違により、該検出通路におけるパチンコ玉あるいはコインの存在・非存在を検出する検出装置であって、
前記発振回路を収納する胴部と前記コイルを収納する腕部とを有し、該胴部と該腕部とで前記検出通路を抱え込む略Ｕ字形の開口部を形成した収納部材と、
前記腕部の先端付近における該開口部の幅を狭めることにより、前記抱え込んだ検出通路に接触し、該検出通路の該開口部からの離脱を防止する押さえ部材と
を備え、
前記腕部および前記胴部には、前記開口部に沿って、前記コイルを形成したフレキシブルプリント基板が収納された
ことを要旨とする。
【０００７】
【作用】
以上のように構成された本発明の検出装置は、収納部材が、その胴部に発振回路を収納し、その腕部にコイルを収納する。また、この収納部材は、その胴部と腕部とで形成される略Ｕ字形の開口部に検出通路を抱え込む。押さえ部材は、腕部の先端付近における開口部の幅を狭めることにより、収納部材が抱え込んだ検出通路に接触し、この検出通路の開口部からの離脱を防止する。
【０００８】
上記の押さえ部材は、具体的には、弾性材で形成された腕部や、腕部の検出通路を抱え込む側に形成された突部によって実現することができる。また、上記の押さえ部材を、検出通路を抱え込んだ開口部を閉塞するように、収納部材に係止される係止部材によって実現することも可能である。ここで、本発明の検出装置において、収納部材と押さえ部材とを別体ものとして構成してもよく、あるいは一体のものとして構成してもよい。
【０００９】
【実施例】
以上説明した本発明の構成・作用を一層明らかにするために、以下本発明の検出装置の好適な実施例について説明する。図１は被検出体をパチンコ玉とした実施例としてのパチンコ玉検出装置１の分解斜視図、図２はそのパチンコ玉検出装置１の組立状態の斜視図、図３はパチンコ玉の通路１５にパチンコ玉検出装置１を取り付ける様子を示す説明図、図４はフレキシブルプリント基板４０上に形成されたコイルの模式図、図５はコイルが形成する磁束の状態を示す模式図、図６はそのパチンコ玉検出装置１の回路図である。
【００１０】
本実施例では、パチンコ玉検出装置１は、入賞口へ落入したセーフ玉やパチンコ台での払い出し玉等の検出に用いられ、パチンコ玉が通過する合成樹脂製のパイプである通路１５に、取り付けて用いられる。また、このパチンコ玉検出装置１は、その出力信号を利用して各種処理を行なう周知の制御回路７０の入力ポートＩＰに接続されている（図６参照）。
【００１１】
図１に示すように、パチンコ玉検出装置１は、樹脂（例えば、フェノール樹脂やエポキシ樹脂など）により形成された上蓋１１と下箱１２とを備え、両部材を組み合わせた内部に回路基板１３を備える。この上蓋１１と下箱１２を組み合わせたとき、全体としてＵ字形の腕部５１，５２を備えた形状となり、この腕部５１，５２がパチンコ玉Ｐやコインが通過するパイプなどの通路１５を挟み込むように取付けられる。この腕部５１，５２を構成するため、上蓋１１には略Ｌ字形の１対のＬ字片２１，２２が、下箱１２にはＬ字片２１，２２と係合する１対のアーム３１，３２が、各々設けられている。アーム３１，３２は、その内部にフレキシブルプリント基板４０を収納する溝部１６，１８が形成されている。アーム３１，３２の先端には、突出片４１，４２が設けられており、上蓋１１を上方から下箱１２に取付けるとき、Ｌ字片２１，２２の折れ曲がった先端部２１ａ，２２ａがこの突出片４１，４２の傾斜部を乗り越え、図示しない凹部に、この突出片４１，４２が嵌まり込む。
【００１２】
上蓋１１の先端部２１ａ，２２ａの通路１５を挟み込む側には、腕部５１，５２にスロープを形成するガイド２５，２６が設けられている。また、アーム３１，３２の通路１５を挟み込む側の先端部には、滑らかな曲面の押え部４３，４４が形成されている。このガイド２５，２６と押え部４３，４４は、上蓋１１と下箱１２とが組み立てられた際に一体となり、突部５３，５４（図２参照）を形成する。
【００１３】
図３に示すように、腕部５１と腕部５２の幅は、通路１５の幅と同寸とされているので、腕部５１，５２に突部５３，５４が形成されたことにより、突部５３と突部５４の幅は通路１５の幅より狭くなる。このため、上蓋１１と下箱１２とからなる箱体を通路１５に取り付ける際、腕部５１，５２は、通路１５が突部５３，５４のガイド面５３ａ，５４ａを押すことにより外側に押し広げられる（図３（ｂ）参照）。箱体を通路１５に取り付けた後は、押し広げられた腕部５１，５２は、自身の弾性により元の状態に戻り、突部５３，５４の押え面５３ｂ，５４ｂを通路１５に密着させて箱体と通路１５との位置を定め、僅かな力では箱体と通路１５とが離れないようにする（図３（ｃ）参照）。
【００１４】
上蓋１１の本体部側面には、略Ｔ字形の１対のＴ字片２３，２４が設けられおり、下箱１２の対応する位置には、Ｔ字片２３，２４と係合する１対の凹部３３，３４が設けられている。この凹部３３，３４には、係止片３５，３６が設けられており、上蓋１１を上方から下箱１２に組み付けるとき、Ｔ字片２３，２４は、自身の弾性で係止片３５，３６を乗り越え、凹部３３，３４にぴったりと嵌合する。Ｌ字片２１，２２およびＴ字片２３，２４の各片が係合することにより、上蓋１１と下箱１２とはワンタッチで組み合わされて、２つの腕部５１，５２を備えた箱体を形成する。
【００１５】
上蓋１１と下箱１２とが組み立てられたとき、回路基板１３は、この内部に収納された状態となるが、回路基板１３の一端に半田付けされたフレキシブルプリント基板４０は、その屈曲性を利用して、下箱１２のアーム３１，３２の溝部１６，１８に沿って、その内部に収納された状態となる。このフレキシブルプリント基板４０には、回路パターンにより分割コイル４６，４８が形成されている。この分割コイル４６，４８は、図４に示すように、フレキシブルプリント基板４０の両端に各々形成されており、実施例では、両端部においてその両面に略２．５ターンずつコイルが形成されている。両面のコイルは中心部に設けられたバイアホール（部品の取付けられていないスルーホール）ＶＨにより接続されており、両面のコイルの卷回方向は、片側から透視したとき同一方向とされている。また、コイル４６の一端は、フレキシブルプリント基板４０を横断して反対側のコイル４８に接続されており、このコイル４８も同様に、両面に略２．５ターンずつのコイルを備え、その卷回方向は、コイル４６と同一とされている。両コイル４６，４８は、直列に接続されていることになるから、各５ターンの分割コイル４６，４８からなる全１０ターンのコイルを、回路上では、単一のコイルＬ１として扱うことにする。
【００１６】
即ち、電気的には単一のコイルＬ１は各５ターンのコイル４６，４８に分割され、このコイル４６，４８が検出位置を挟み込むように位置する。分割コイル４６，４８が発生する磁束Φの状態を、図４中の白抜き矢印方向から描いた説明図が図５である。図示するように、通路１５に対して各分割コイル４６，４８に流れる電流ｉが同一方向となるため、各分割コイル４６，４８の発生磁束Φは同一方向となり、通路１５の内部には各分割コイル４６，４８の合成磁界（図中の２点鎖線）が形成される。なお、仮に実施例の分割コイル４６あるいは分割コイル４８が単独で存在する場合を考えてみると、分割コイル４６，４８が数ターンであって発生する磁束密度が低いこともあり、図中の点線で示すように、各分割コイル４６あるいは分割コイル４８により発生する磁束Ψの大部分は、通路１５を横切らない。すなわち、分割コイル４６あるいは分割コイル４８から発生する磁束Ψは、大部分、それ自身と鎖交するに過ぎない。
【００１７】
本実施例では、２つの分割コイル４６及び４８が互いに作用し合うことにより、その合成磁束Φは通路１５を直角に、かつ、均一に横切る。換言するならば、２つの分割コイル４６，４８の合成磁界は、通路１５の所定範囲においてその密度が均一化し、しかも、この通路１５における被検出体であるパチンコ玉Ｐの通過方向に対して直角方向の磁束となる。
【００１８】
この様に構成・配置されるコイルＬ１は、直接回路基板１３の端に半田付けされており、図６の回路図に示す検出回路６０に接続される。検出回路６０は、コイルＬ１やトランジスタＴｒ１，Ｔｒ２等の電子部品から構成され、その発振／非発振状態を判断する制御回路７０と接続端子Ｔ１，Ｔ２を介して接続されている。ここで、接続端子Ｔ１は１２ボルトの電源端子であり、接続端子Ｔ２は回路のグランドレベルを兼ねる検出端子で制御回路７０側においては抵抗器ＲＤを介して接地される。この検出回路６０には、発振回路ＣＯと、発振回路ＣＯの発振状態に基づいてオン・オフするスイッチング回路ＳＷとが設けられている。
【００１９】
スイッチング回路ＳＷには、電源端子Ｔ１から１２ボルトの電圧が加えられているが、検出端子Ｔ２が抵抗器ＲＤ（本実施例では抵抗値６８０Ω）により接地されていることから、スイッチング回路ＳＷの電源電圧（端子Ｔ１−Ｔ２間電圧）は、スイッチング回路ＳＷのトランジスタＴｒ２のオン・オフ状態により変化する。一方、発振回路ＣＯには、電源端子Ｔ１と検出端子Ｔ２との間に介装された抵抗器Ｒ１（本実施例では抵抗値２７ＫΩ）とツェナーダイオードＤ１とにより安定化されたツェナー電圧Ｖｚ（本実施例では約５．５ボルト）が供給される。
【００２０】
発振回路ＣＯは、特性が同一の２つのトランジスタを同一チップ内に形成した双トランジスタＴｒ１を備え、この双トランジスタＴｒ１の一方のエミッタとグランドラインとの間に介装されたコンデンサＣ２，Ｃ１およびコイルＬ１と、双トランジスタＴｒ１の他方のエミッタおよびコンデンサＣ２−Ｃ１の接続点とグランドラインとの間に介装された抵抗器Ｒ３とにより、コルピッツ型の高周波発振回路として構成されている。なお、双トランジスタＴｒ１のベースは、抵抗器Ｒ２を介して電源ラインに接続されている。この発振回路ＣＯの発振周波数は、コイルＬ１のインダクタンスとコンデンサＣ１，Ｃ２の容量とで決まり、本実施例ではおよそ３００ＫＨｚとなっている。
【００２１】
双トランジスタＴｒ１のコレクタの一方は使用されていないが、他方はスイッチング回路ＳＷのトランジスタＴｒ２のベース端子に接続されている。トランジスタＴｒ２のベース端子には、グランドラインとの間にコンデンサＣ３が接続されている。エミッタ端子には、抵抗器Ｒ５（本実施例では２２０Ω）が接続されている。また、トランジスタＴｒ２のコレクタ端子は、電源ラインに接続されている。発振回路ＣＯが発振している状態では、双トランジスタＴｒ１は約３００ＫＨｚでオン・オフを繰り返しており、双トランジスタＴｒ１がオンのときには、そのコレクタ電流はスイッチング回路ＳＷのトランジスタＴｒ２のベースから流れ込んでトランジスタＴｒ２をターンオンする。一方、発振回路ＣＯの発振により双トランジスタＴｒ１が僅かの時間オフとなる間は、トランジスタＴｒ２のベース電流はコンデンサＣ３の放充電により継続され、トランジスタＴｒ２はオン状態に保たれる。
【００２２】
発振回路ＣＯが発振している状態で検出回路６０のコイルＬ１の間、即ち分割コイル４６，４８の間を金属製の被検出体であるパチンコ玉Ｐが通過すると、各分割コイル４６，４８の合成磁界中をパチンコ玉Ｐが通り抜けることになり、パチンコ玉Ｐ内には渦電流が流れて電流損失を生じる。パチンコ玉Ｐは通常金属製であるが、金属以外の材料で作られ表面にメッキがしてある場合でも、メッキなどの薄膜では断面積が小さいことからかなり大きな渦電流損失となる。渦電流の発生は発振回路ＣＯの発振エネルギを消費することになるから、その高周波発振は著しく減衰しほぼ停止する。
【００２３】
パチンコ玉ＰがコイルＬ１の間を通過せずコイルＬ１に接近していない状態、即ち、発振回路ＣＯが発振している状態では、トランジスタＴｒ２はオン状態となっており、一方、発振回路ＣＯの発振がほぼ停止状態となると、スイッチング回路ＳＷのトランジスタＴｒ２はターンオフする。抵抗器Ｒ５は抵抗器Ｒ１より抵抗値が小さいから（本実施例では２２０Ω：２７ＫΩ）、トランジスタＴｒ２がオン状態となると、電源端子Ｔ１からトランジスタＴｒ２，抵抗器Ｒ５を介してツェナーダイオードＤ１に流れる電流は、抵抗器Ｒ１を介して流れる電流より増大する（本実施例ではおよそ約１３０倍となる）。この電流は最終的には、検出端子Ｔ２に接続された抵抗器ＲＤを介して接地側に流れ込むから、抵抗器ＲＤの両端電圧、即ち制御回路７０の入力ポートＩＰの電圧は、トランジスタＴｒ２がオフ状態で約０．２ボルト、オン状態で約４．９ボルトとなる。従って、制御回路７０は入力ポートＩＰの状態を監視することで、コイルＬ１を用いた検出回路６０がパチンコ玉Ｐを検出している状態（ロウレベル）、検出していない状態（ハイレベル）を容易に知ることができる。
【００２４】
以上のごとく構成される本実施例の検出装置によれば、検出部を収納した箱体を通路１５に容易に取り付けることができる。しかも、他の取り付け金具等が不要である。また、通路１５に取り付けた後は、突部５３，５４が通路１５と密着するので、通路１５と箱体の位置がずれることがなく、通路１５を通過するパチンコ玉Ｐを正確に検出することができる。
【００２５】
また、２つの分割コイル４６，４８は互いに作用し合うことで、通路１５を横切る合成磁界を作りだすので、コイルＬ１に流れる電流ｉにより作りだされる磁束Φの大部分がパチンコ玉Ｐと鎖交することとなり、僅かな電力でパチンコ玉Ｐを検出することが可能となる。
【００２６】
このほか、本実施例の検出装置によれば、各分割コイル４６，４８による合成磁束は、通路１５を均一かつ直角方向に横切る。従って、パチンコ玉Ｐがこの通路１５を通過する際に、通路１５の中央あるいは左右何れかの側壁に片寄って通過しても、この部分の合成磁束は通路１５に均一かつ直角方向であるためパチンコ玉Ｐに発生する渦電流の大きさは略一定となり、検出回路６０に与える影響も一定となる。即ち、本実施例の検出装置は、パチンコ玉Ｐが検出範囲にどの様な状態で存在しても、検出精度を略一定に保ち、確実にその存在を検出することができる。換言するならば、本実施例の検出装置は、総ての検出範囲にわたって検出感度が高感度で略均一となり、検出精度が飛躍的に向上する。
【００２７】
更に、本実施例の検出装置は、フレキシブルプリント基板４０に導電パターンによって、片側５ターンのコイル４６，４８を形成しているので、分割コイル４６，４８の製造が極めて簡単である。両側の分割コイル４６，４８を接続する配線も必要なく、発振回路ＣＯとの接続も容易である。アーム３１，３２の溝部１６，１８への収納も、フレキシブルプリント基板４０の屈曲性を利用しているだけであり、特別な型による形成や特殊な屈曲処理などは一切不要である。結果的に、通路１５への取り付け容易な形状を、簡易に実現している。
【００２８】
実施例では、上蓋１１および下箱１２を樹脂により形成したが、腕部５１，５２に通路１５により押し広げられるだけの弾性があればどんな材料でもかまわない。また、実施例では、突部５３，５４をガイド面５３ａ，５４ａと押え面５３ｂ，５４ｂとにより形成したが、押え面５３ｂ，５４ｂがない構成や突起により形成する構成でも差し支えない。さらに、実施例では、フレキシブルプリント基板４０に導電パターンによってコイル４６，４８を形成したが、導電ラインによる巻線コイルを用いる構成も差し支えない。
【００２９】
実施例では、箱体に２つの腕部５１，５２を備えたが、図７に示すように略Ｌ字形をした１つの腕部９０を備えた構成も好適である。この場合、この腕部９０と胴部８０とで通路１５を挟み込むよう取り付けられる。腕部９０の先端部および胴部８０の腕部９０の先端部と対峙する部位には、実施例の突部５３，５４と同様な形状の突部９２，９２が形成されている。また、フレキシブルプリント基板４０は、Ｌ字形の腕部９０と胴部８０とで形成するＵ字形の開口部に沿って設置される。
【００３０】
次に本発明の第２の実施例としてのパチンコ玉検出装置１００について説明する。図８は、第２実施例のパチンコ玉検出装置１００の構造を示す説明図である。図示するように、パチンコ玉検出装置１００は、樹脂（例えば、フェノール樹脂やエポキシ樹脂）により形成された箱体１０５と、この箱体１０５と同じ樹脂により形成された係止部材２００とから構成される。箱体１０５は、腕部１１０，１２０を備えており、その内部には、第１実施例のパチンコ玉検出装置１に収納された回路基板１３およびフレキシブルプリント基板４０と同一の回路基板およびフレキシブルプリント基板を収納している。したがって、回路基板１３およびフレキシブルプリント基板４０等の第１実施例のパチンコ玉検出装置１と同一の構成についての説明は省略する。
【００３１】
箱体１０５の腕部１１０，１２０の端部にはスロープ１１４，１２４が形成されており、先端部には、係止部材２００に嵌まり込む係止部１１２，１２２が形成されている。一方、係止部材２００は、略コ字形をしており、その折れ曲がった側部２１２，２２２の内側には、スロープ２１４，２２４と、箱体１０５の係止部１１２，１２２が嵌まり込む凹部２１６，２２６とが形成されている。係止部材２００に図８中矢印方向の力が加えられると、スロープ２１４，２２４は箱体１０５の係止部１１２，１２２を乗り越えてスロープ１１４，１２４と係合し、係止部１１２，１２２は、凹部２１６，２２６に嵌まり込む。
【００３２】
以上説明した第２実施例のパチンコ玉検出装置１００は、箱体１０５を通路１５に容易に取り付けることができる。しかも、他の取り付け金具等を用いる必要がない。もとより、２つの分割コイル４６，４８により通路１５を通るパチンコ玉Ｐを、僅かな電力で検出することが可能である。この他、第１実施例のパチンコ玉検出装置１と同様な効果を奏する。
【００３３】
なお、第２実施例では、パチンコ玉検出装置１００を箱体１０５と係止部材２００とで構成したが、図９に示すように、パチンコ玉検出装置１００Ａを箱体１０５Ａの腕部１１０Ａに係止部材２００Ａを回動自在（図中矢印方向）なヒンジ部１５０にて一体として形成する構成も好適である。この構成とすれば、パチンコ玉検出装置１００Ａを取り付ける際、係止部材２００を紛失するといった不都合がなく、取り付けをさらに容易にすることができる。
【００３４】
以上本発明の実施例について説明したが、本発明はこうした実施例に何等限定されるものではなく、本発明の要旨を逸脱しない範囲内において、種々なる態様で実施し得ることは勿論である。例えば、分割コイル４６，４８のターン数はいくつでも差し支えないし、片面にのみコイルを形成するものとしても良い。また、フレキシブルプリント基板４０と回路基板１３との接続は、フレキシブルプリント基板４０の中心で行なう必要はなく、分割コイル４６，４８が設けられたいずれかの端部によって行なっても良い。さらに、電線を介して両者を接続するものとしても差し支えない。
【００３５】
【発明の効果】
以上説明したように本発明の検出装置は、検出通路へ容易に取り付けることができる。しかも、取り付けに特別な取り付け金具を必要としない。また、検出通路に取り付けた後に、検出装置が検出通路からずれるのを防止することができ、検出通路を通る被検出体を正確に検出することができる。
【図面の簡単な説明】
【図１】本考案の実施例であるパチンコ玉検出装置１の分解斜視図である。
【図２】実施例のパチンコ玉検出装置１の通路への配置状態を示す斜視図である。
【図３】パチンコ玉の通路１５にパチンコ玉検出装置１を取り付ける様子を示す説明図である。
【図４】フレキシブルプリント基板４０上の分割コイル４６，４８の構成を模式的に示す説明図である。
【図５】コイルＬ１の発生磁界の様子を示す説明図である。
【図６】検出回路６０の電気回路図である。
【図７】本実施例の変形例を示す斜視図である。
【図８】第２実施例のパチンコ玉検出装置１００の構造を示す説明図である。
【図９】第２実施例の変形例を示す説明図である。
【図１０】渦電流を用いた従来の被検出体検出の様子を示す説明図である。
【符号の説明】
１…パチンコ玉検出装置
１１…上蓋
１２…下箱
１３…回路基板
１５…通路
１６，１８…溝部
２１，２２…Ｌ字片
２１ａ，２２ａ…先端部
２３，２４…Ｔ字片
２５，２６…ガイド
３１，３２…アーム
３３，３４…凹部
３５，３６…係止片
４０…フレキシブルプリント基板
４１，４２…突出片
４３，４４…押え部
４６，４８…分割コイル
５１，５２…腕部
５３，５４…突部
５３ａ，５４ａ…ガイド面
５３ｂ，５４ｂ…押え面
６０…検出回路
７０…制御回路
８０…胴部
９０…腕部
１００…パチンコ玉検出装置
１０５…箱体
１１０，１２０…腕部
１１２，１２２…係止部
１１４，１２４…スロープ
１５０…ヒンジ部
２００…係止部材
２１２，２２２…側部
２１４，２２４…スロープ
２１６，２２６…凹部
【図１】
0003637601.tif 000002
【図２】
0003637601.tif 000003
【図３】
0003637601.tif 000004
【図４】
0003637601.tif 000005
【図５】
0003637601.tif 000006
【図６】
0003637601.tif 000007
【図７】
0003637601.tif 000008
【図１０】
0003637601.tif 000009
【図８】
0003637601.tif 000010
【図９】
0003637601.tif 000011